【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
スパークプラグ（１０）が取り付けられた内燃機関（１）であって、
上記スパークプラグは、筒状のハウジング（２）と、
該ハウジングの内側に保持された筒状の絶縁碍子（３）と、
該絶縁碍子の内側に保持されると共に、該絶縁碍子の先端側に突出した中心電極（４）と、
該中心電極に外周側から対向して、上記中心電極との間に放電ギャップ（Ｇ）を形成する接地電極（５）と、
上記ハウジングの先端部に設けられた副室形成部（６）と、を有し、
上記副室形成部の内側には、上記放電ギャップが配置される副室（６０）が形成されており、
上記副室形成部は、上記副室と上記内燃機関の主燃焼室（１１）とを連通させる複数の噴孔（６１）を有し、
上記複数の噴孔のうちの少なくとも一つは、プラグ中心軸（Ｃ）よりも上記主燃焼室内の気流（Ａ）の上流側に形成されると共に、開口方向の延長線（Ｌ１）と上記副室の内壁面（６２）とが交差する角度（α）が、上記開口方向の延長線の基端側において９０°を超えるよう形成された、上流側噴孔（６１１）であり、
上記放電ギャップは、プラグ中心軸よりも上記主燃焼室内の気流の上流側に形成されており、
上記絶縁碍子は、先端側へ向かうほど縮径するテーパ状先端部（３１）を有し、プラグ中心軸を含むと共に上記放電ギャップを通る平面による断面において、上記放電ギャップは、上記テーパ状先端部の外周面の延長線（Ｌ２）よりも、上記主燃焼室内の気流の上流側に形成されている、内燃機関。
【請求項２】
上記放電ギャップは、上記上流側噴孔の基端面の延長線（Ｌ３）よりも、基端側に配置されている、請求項１に記載の内燃機関。
【請求項３】
上記接地電極は、上記副室の上記内壁面から内側へ突出している、請求項１又は２に記載の内燃機関。
【請求項４】
上記接地電極は、プラグ周方向よりもプラグ軸方向に長い形状を有し、上記接地電極における上記放電ギャップ側の面である放電面は、該放電面の先端部（５１１）を、上記中心電極よりも先端側に配置してなる、請求項３に記載の内燃機関。
【請求項５】
上記中心電極は、径方向外側へ突出した電極突出部（４１）を有し、該電極突出部の突出端は、上記副室の上記内壁面に、上記放電ギャップを介して対向しており、上記電極突出部の突出端と対向する上記副室の内面の一部が、上記接地電極を構成している、請求項１又は２に記載の内燃機関。
【請求項６】
筒状のハウジング（２）と、
該ハウジングの内側に保持された筒状の絶縁碍子（３）と、
該絶縁碍子の内側に保持されると共に、該絶縁碍子の先端側に突出した中心電極（４）と、
該中心電極に外周側から対向して、上記中心電極との間に放電ギャップを形成する接地電極（５）と、
上記ハウジングの先端部に設けられた副室形成部（６）と、を有し、
上記副室形成部の内側には、上記放電ギャップが配置される副室（６０）が形成されており、
上記副室形成部は、上記副室と上記副室形成部の外部とを連通させる複数の噴孔（６１）を有し、
上記中心電極は、径方向外側へ突出した電極突出部（４１）を有し、該電極突出部の突出側端縁に対向配置された上記接地電極との間に、上記放電ギャップが形成されており、
上記複数の噴孔のうちの少なくとも一つは、プラグ中心軸（Ｃ）に対して上記放電ギャップが配される側に形成されたギャップ側噴孔（６１１）であり、
該ギャップ側噴孔は、開口方向の延長線と上記副室の内壁面（６２）とが交差する角度が、上記開口方向の延長線の基端側において９０°を超えるよう形成されており、
上記絶縁碍子は、先端側へ向かうほど縮径するテーパ状先端部（３１）を有し、プラグ中心軸を含むと共に上記放電ギャップを通る平面による断面において、上記放電ギャップは、上記テーパ状先端部の外周面の延長線（Ｌ２）よりも、プラグ中心軸から離れた位置に形成されている、内燃機関用のスパークプラグ（１０）。
【請求項７】
上記放電ギャップは、上記ギャップ側噴孔の基端面の延長線（Ｌ３）よりも、基端側に配置されている、請求項６に記載の内燃機関用のスパークプラグ。
【請求項８】
上記接地電極は、上記副室の上記内壁面から内側へ突出している、請求項６又は７に記載の内燃機関用のスパークプラグ。
【請求項９】
上記接地電極は、プラグ周方向よりもプラグ軸方向に長い形状を有し、上記接地電極における上記放電ギャップ側の面である放電面は、該放電面の先端部（５１１）を、上記中心電極よりも先端側に配置してなる、請求項８に記載の内燃機関用のスパークプラグ。
【請求項１０】
上記電極突出部の突出端は、上記副室の上記内壁面に、上記放電ギャップを介して対向しており、上記電極突出部の突出端と対向する上記副室の内面の一部が、上記接地電極を構成している、請求項６又は７に記載の内燃機関用のスパークプラグ。
【手続補正２】
【補正対象書類名】明細書
【補正対象項目名】０００６
【補正方法】変更
【補正の内容】
【０００６】
本発明の一態様は、スパークプラグ（１０）が取り付けられた内燃機関（１）であって、
上記スパークプラグは、筒状のハウジング（２）と、
該ハウジングの内側に保持された筒状の絶縁碍子（３）と、
該絶縁碍子の内側に保持されると共に、該絶縁碍子の先端側に突出した中心電極（４）と、
該中心電極に外周側から対向して、上記中心電極との間に放電ギャップ（Ｇ）を形成する接地電極（５）と、
上記ハウジングの先端部に設けられた副室形成部（６）と、を有し、
上記副室形成部の内側には、上記放電ギャップが配置される副室（６０）が形成されており、
上記副室形成部は、上記副室と上記内燃機関の主燃焼室（１１）とを連通させる複数の噴孔（６１）を有し、
上記複数の噴孔のうちの少なくとも一つは、プラグ中心軸（Ｃ）よりも上記主燃焼室内の気流（Ａ）の上流側に形成されると共に、開口方向の延長線（Ｌ１）と上記副室の内壁面（６２）とが交差する角度（α）が、上記開口方向の延長線の基端側において９０°を超えるよう形成された、上流側噴孔（６１１）であり、
上記放電ギャップは、プラグ中心軸よりも上記主燃焼室内の気流の上流側に形成されており、
上記絶縁碍子は、先端側へ向かうほど縮径するテーパ状先端部（３１）を有し、プラグ中心軸を含むと共に上記放電ギャップを通る平面による断面において、上記放電ギャップは、上記テーパ状先端部の外周面の延長線（Ｌ２）よりも、上記主燃焼室内の気流の上流側に形成されている、内燃機関にある。
【手続補正３】
【補正対象書類名】明細書
【補正対象項目名】０００７
【補正方法】変更
【補正の内容】
【０００７】
本発明の他の態様は、筒状のハウジング（２）と、
該ハウジングの内側に保持された筒状の絶縁碍子（３）と、
該絶縁碍子の内側に保持されると共に、該絶縁碍子の先端側に突出した中心電極（４）と、
該中心電極に外周側から対向して、上記中心電極との間に放電ギャップを形成する接地電極（５）と、
上記ハウジングの先端部に設けられた副室形成部（６）と、を有し、
上記副室形成部の内側には、上記放電ギャップが配置される副室（６０）が形成されており、
上記副室形成部は、上記副室と上記副室形成部の外部とを連通させる複数の噴孔（６１）を有し、
上記中心電極は、径方向外側へ突出した電極突出部（４１）を有し、該電極突出部の突出側端縁に対向配置された上記接地電極との間に、上記放電ギャップが形成されており、
上記複数の噴孔のうちの少なくとも一つは、プラグ中心軸（Ｃ）に対して上記放電ギャップが配される側に形成されたギャップ側噴孔（６１１）であり、
該ギャップ側噴孔は、開口方向の延長線と上記副室の内壁面（６２）とが交差する角度が、上記開口方向の延長線の基端側において９０°を超えるよう形成されており、
上記絶縁碍子は、先端側へ向かうほど縮径するテーパ状先端部（３１）を有し、プラグ中心軸を含むと共に上記放電ギャップを通る平面による断面において、上記放電ギャップは、上記テーパ状先端部の外周面の延長線（Ｌ２）よりも、プラグ中心軸から離れた位置に形成されている、内燃機関用のスパークプラグ（１０）にある。